(57)【特許請求の範囲】
【請求項１】
断熱箱体の内部空間の上部に製氷部が設けられているとともに、この製氷部で製氷された氷片を貯蔵する貯氷部が前記内部空間の下部に設けられ、前記製氷部からの氷片が前記貯氷部に落下する製氷機において、
製氷部と貯氷部との間には、製氷部からの水を受ける排水皿が設けられ、
かつ、氷片をすくう凹部が貯氷部の空間に向かう姿勢で氷片取出用スコップを保持するスコップ保持部が、前記排水皿の底面に設けられ、
このスコップ保持部は、排水皿の底面に取り付けられる取付部と、この取付部から延在する側板係止部を具備しており、
この側板係止部と排水皿の底面との間には、スコップの側板が挿入可能で、かつ、スコップの凹部の横幅よりも高さの小さい隙間が形成され、
そして、スコップをスコップ保持部で保持させる際には、横向きにしたスコップの側板を前記隙間に挿入して、スコップの側板の内面を側板係止部で係止させており、かつ、
前記側板係止部の端部と断熱箱体の内側面との間隔は、スコップが側方にズリ落ちることを防止すべく、スコップの凹部の深さよりも小さく形成されていることを特徴とする製氷機。
【発明の詳細な説明】
【０００１】
【発明の属する技術分野】
本発明は、製氷部の下方に貯氷部が設けられ、この貯氷部の氷片を取り出すための氷片取出用スコップがスコップ保持部に保持される製氷機に関する。
【０００２】
【従来の技術】
従来の製氷機に設けられているスコップ保持部は、特開平９−２４３２２１号公報や特開２０００−１６１８２０号公報などに示されている。このスコップ保持部は側壁を有しており、スコップを保持する空間の側面を覆っている。
【０００３】
【発明が解決しようとする課題】
ところで、このスコップ保持部は貯氷部に設けられているが、スコップを保持する空間の側面が覆われていると、氷片を収容することができる容積が減少する。また、従来のスコップ保持部は嵩張っており、氷片を収容することができる容積が減少するとともに、スコップで貯氷部から氷片を取り出す際の妨げになることがある。さらに、スコップには、氷片をすくう凹部であるスクイ部が形成されているが、スコップ保持部に保持されたスコップのスクイ部を、氷片を収容することができる空間として有効利用することができない。
【０００４】
本発明は、以上のような課題を解決するためのもので、貯氷量を極力減少させることがないスコップ保持部を備える製氷機を提供することを目的としている。
【０００５】
【課題を解決するための手段】
本発明の製氷機は、断熱箱体（２）の内部空間の上部に製氷部（６）が設けられているとともに、この製氷部で製氷された氷片を貯蔵する貯氷部（７）が前記内部空間の下部に設けられ、前記製氷部からの氷片が前記貯氷部に落下する製氷機において、
製氷部と貯氷部との間には、製氷部からの水を受ける排水皿（８）が設けられ、
かつ、氷片をすくう凹部（２２）が貯氷部の空間に向かう姿勢で氷片取出用スコップ（Ｓ）を保持するスコップ保持部（Ｈ５）が、前記排水皿の底面に設けられ、
このスコップ保持部は、排水皿の底面に取り付けられる取付部（６１）と、この取付部から延在する側板係止部（６２）を具備しており、
この側板係止部と排水皿の底面との間には、スコップの凹部の側板（２８）が挿入可能で、かつ、スコップの凹部の横幅よりも高さの小さい隙間（６３）が形成され、
そして、スコップをスコップ保持部で保持させる際には、横向きにしたスコップの側板を前記隙間に挿入して、スコップの側板の内面を側板係止部で係止させており、かつ、
前記側板係止部の端部と断熱箱体の内側面との間隔は、スコップが側方にズリ落ちることを防止すべく、スコップの凹部の深さよりも小さく形成されていることを特徴とする製氷機。
【０００６】
【０００７】
【０００８】
【０００９】
【００１０】
【００１１】
【００１２】
【００１３】
【００１４】
【００１５】
【発明の実施の形態】
次に、本発明における製氷機の参考例１を図１ないし図３を用いて説明する。図１は本発明の製氷機の参考例１の一部切欠き正面図である。図２は図１の製氷機の側面図である。図３は氷片取出用スコップの説明図で、（ａ）が側面図、（ｂ）が平面図である。
【００１６】
製氷機は逆セルタイプの製氷機で、下部に機械室１が、この機械室１の上側に断熱箱体２が配置されている。断熱箱体２の内部空間は、上部が製氷部６で、下部が貯氷部７となっており、製氷部６と貯氷部７との間に、製氷部６からの水を受ける排水皿８が設けられている。断熱箱体２は、貯氷部７の前面（すなわち、手前側の面）が開口しており、この開口面を断熱扉９が開閉可能に覆っている。
【００１７】
製氷部６は、冷却器１１および水皿１２などを具備している。冷却器１１の製氷室１６は、熱伝導性の良い金属たとえば銅、または銅合金、アルミ、またはアルミ合金などで構成され、下面が開口するとともに、内部が仕切り壁で仕切られている。この製氷室１６の天壁の上面には、冷却パイプ１７が蛇行して配設され固定されている。この冷却パイプ１７には冷媒が流れており、製氷室１６を冷却することができる。この製氷室１６および冷却パイプ１７で冷却器１１は構成されている。また、製氷室１６の下面開口を開閉自在に覆う水皿１２は傾動可能であり、製氷室１６の開口を覆う製氷位置と、製氷室１６から氷片を離氷させる離氷位置との間を往復動することができる。
【００１８】
水皿１２が離氷位置にある際には、水皿１２の上面は右下がりに傾斜しており、製氷室１６からの氷片は、断熱箱体２の内部空間の右側に片寄って落下し、貯氷部７に貯氷される。
また、製氷部６からの水は排水皿８で受けられ、ホース１８を介して機械室１へ排水される。
さらに、機械室１には、製氷部６に冷媒を供給するための図示しない圧縮機、凝縮器および凝縮器用送風機などが配置されている。
【００１９】
前述のように、製氷部６からの氷片は、断熱箱体２の内部空間の右側に片寄って落下するため、氷片は貯氷部７の右側に片寄って貯氷される。その結果、貯氷部７の上部左側には、あまり氷片が溜まらない。そこで、このスペースに氷片取出用スコップＳを保持するようにしている。
【００２０】
スコップＳは、図３に図示するように、手で握る把手部２１、および、氷片をすくうスクイ部である凹部２２を具備している。凹部２２は、後板２６、底板２７および左右側板２８で構成されている。凹部２２の後板２６には、把手部２１が取り付けられ、底板２７は前部が前上がりに傾斜している。また、凹部２２の上面は開口している。そして、この明細書では、図３に図示する状態（すなわち、凹部２２の上面開口が上に向いている状態）を、スコップＳの正規の姿勢としている。
【００２１】
このスコップＳを保持するスコップ保持部Ｈ１は棚形状をしており、左側端部が断熱箱体２の左内側面に鋲螺３１で着脱自在に取り付けられている。また、スコップ保持部Ｈ１の右側端部は立ち上がってスコップ落下防止部３２となっている。このスコップ落下防止部３２の上端は、排水皿８には達しておらず、スコップ保持部Ｈ１の上方のスコップ載置空間の右側面は開口している。この開口は氷片よりも大きく、貯氷部の氷片がこの開口を通ってスコップ載置空間に入ることができる。
【００２２】
さらに、スコップ保持部Ｈ１の後端部（すなわち、奥側の端部）は、断熱箱体２の後壁と、氷片の大きさよりも大きな間隔を有して配置されているとともに、スコップ載置空間の後面は開口している。したがって、スコップ保持部Ｈ１上に氷片が載っている際に、スコップＳをスコップ保持部Ｈ１に手前側から収納しようとすると、押し込まれるスコップＳでスコップ保持部Ｈ１上の氷片は奥側に押されて、スコップ保持部Ｈ１の後端部と断熱箱体２の後壁との間の隙間から落下する。その結果、スコップＳをスコップ保持部Ｈ１上に収納する際に、スコップ保持部Ｈ１上の氷片が邪魔になることを極力防止することができる。
【００２３】
この様に構成されている製氷機では、製氷部６で製氷された氷片は、断熱箱体２の内部空間の右側に片寄って貯氷部７へ落下する。一方、スコップ保持部Ｈ１は、貯氷部７の左側に片寄って配置されているため、スコップ保持部Ｈ１が氷片の貯蔵の妨げになることが極力減少する。そして、貯氷部７の氷片を取り出す際には、断熱扉９を開けて、スコップ保持部Ｈ１に載置されているスコップＳの把手部２１を掴み、このスコップＳで貯氷部７の氷片を取り出す。氷片の取り出し後、スコップＳをスコップ保持部Ｈ１上に載置し、断熱扉９を閉じる。
【００２４】
また、スコップＳを収納するスコップ載置空間の右側面は開口しているので、貯氷部７の氷片がスコップ載置空間やスコップＳの凹部２２内などに入ることができる。そのため、貯氷量を増大させることができる。
【００２５】
次に、本発明における製氷機の参考例２について図４を用いて説明する。図４は参考例２の製氷機のスコップ保持部の説明図で、（ａ）が平面図、（ｂ）が側面図である。なお、この参考例２の説明において、前記参考例１の構成要素に対応する構成要素には同一符号を付して、その詳細な説明は省略する。なお、図４において、右側が断熱箱体２の内部空間の後側（すなわち奥側）である。
【００２６】
参考例２では、参考例１のスコップ保持部Ｈ１に代えて、スコップ保持部Ｈ２が設けられている。このスコップ保持部Ｈ２は、貯氷部７における断熱箱体２の左内側面に鋲螺４１で着脱自在に取り付けられている。スコップ保持部Ｈ２は、断熱箱体２に取り付けられる取付部４２と、この取付部４２から前方に延在する押圧部４３を具備しており、この押圧部４３は板バネ材などの弾性体で構成されており、断熱箱体２の内側面に向かって付勢されている。そして、スコップＳをスコップ保持部Ｈ２で保持させる際には、横向きにしたスコップＳの底板２７を断熱箱体２の内側面と押圧部４３との間に挿入する。すると、押圧部４３はスコップＳの底板２７の上面を押圧してスコップＳの底面を断熱箱体２に押しつけて、スコップＳを保持する。
【００２７】
この様に構成されている参考例２の製氷機では、スコップ保持部Ｈ２が貯氷の妨げになることを極力防止することができる。また、スコップ保持部Ｈ２に保持されたスコップＳの凹部２２の開口面が貯氷部７側に向くため、保持されたスコップＳにより貯氷量が減少することも防止することができる。しかも、スコップＳが横向きに保持されるので、凹部２２に付着した水滴は下側に落下する。その結果、スコップＳの凹部２２が水切れして乾燥し、衛生的である。
【００２８】
次に、本発明における製氷機の参考例３について図５を用いて説明する。図５は参考例３の製氷機のスコップ保持部の正面図である。なお、この参考例３の説明において、前記参考例１の構成要素に対応する構成要素には同一符号を付して、その詳細な説明は省略する。
【００２９】
参考例３では、参考例１のスコップ保持部Ｈ１に代えて、スコップ保持部Ｈ３が設けられている。このスコップ保持部Ｈ３は、貯氷部７における断熱箱体２の左内側面に一体成形されている。スコップ保持部Ｈ３は、スコップＳの右側の側板２８を係止する下側係止部である下突出部５１と、スコップＳの左側の側板２８を係止する上側係止部である上突出部５２とで構成されている。そして、スコップＳをスコップ保持部Ｈ３で保持させる際には、横向きにしたスコップＳの底板２７を、突出部５１，５２間の断熱箱体２の内側面に当接させて、スコップＳの左側面を上突出部５２で、また、スコップＳの右側面を下突出部５１で係止させる。
【００３０】
この様に構成されている参考例３の製氷機では、スコップ保持部Ｈ３が貯氷の妨げになることを極力防止することができる。また、スコップ保持部Ｈ３に保持されたスコップＳの凹部２２の開口面が貯氷部７側に向くため、保持されたスコップＳにより貯氷量が減少することも防止することができる。しかも、スコップＳが横向きに保持されるので、凹部２２に付着した水滴は下側に落下する。その結果、スコップＳの凹部２２が水切れして乾燥し、衛生的である。さらに、下突出部５１および上突出部５２は、前述のように断熱箱体２に一体成形されているので、ビス止めなどのスコップ保持部の取付作業を削減することができる。
【００３１】
次に、本発明における製氷機の参考例４について図６を用いて説明する。図６は参考例４の製氷機のスコップ保持部の平面図である。なお、この参考例４の説明において、前記参考例１の構成要素に対応する構成要素には同一符号を付して、その詳細な説明は省略する。
【００３２】
参考例４では、参考例１のスコップ保持部Ｈ１に代えて、スコップ保持部Ｈ４が設けられている。このスコップ保持部Ｈ４は、貯氷部７における断熱箱体２の後壁内面に一体成形されている。スコップ保持部Ｈ４は、断熱箱体２の後壁から棒状に前方（すなわち、手前側）に突出している突出部５６で構成されている。この突出部５６と断熱箱体２の左内側面との間には、スコップＳの底板２７が挿入可能で、かつ、スコップＳの凹部２２の深さよりも小さい隙間５７が形成されている。そして、スコップＳをスコップ保持部Ｈ４で保持させる際には、横向きにしたスコップＳの凹部２２を突出部５６に嵌めて、スコップＳを突出部５６で係止させる。
【００３３】
この様に構成されている参考例４の形態の製氷機では、スコップ保持部Ｈ４が貯氷の妨げになることを極力防止することができる。また、スコップ保持部Ｈ４に保持されたスコップＳの凹部２２の開口面が貯氷部７側に向くため、保持されたスコップＳにより貯氷量が減少することも防止することができる。しかも、スコップＳが横向きに保持されるので、凹部２２に付着した水滴は下側に落下する。その結果、スコップＳの凹部２２が水切れして乾燥し、衛生的である。さらに、突出部５６は、前述のように断熱箱体２に一体成形されているので、ビス止めなどのスコップ保持部の取付作業を削減することができる。
【００３４】
次に、本発明における製氷機の実施の第１の形態について図７を用いて説明する。図７は実施の第１の形態の製氷機のスコップ保持部の正面図である。なお、この実施の第１の形態の説明において、前記参考例１の構成要素に対応する構成要素には同一符号を付して、その詳細な説明は省略する。
【００３５】
実施の第１の形態では、参考例１のスコップ保持部Ｈ１に代えて、スコップ保持部Ｈ５が設けられている。このスコップ保持部Ｈ５は、排水皿８の底面に取り付けられている。スコップ保持部Ｈ５は、排水皿８に取り付けられる取付部６１と、この取付部６１から左側に延在する側板係止部６２を具備しており、この側板係止部６２と排水皿８の底面との間には、スコップＳの側板２８が挿入可能で（すなわち、側板２８の板厚よりも高さが大きく）、かつ、スコップＳの凹部２２の横幅よりも高さの小さい隙間６３が形成されている。そして、スコップＳをスコップ保持部Ｈ５で保持させる際には、横向きにしたスコップＳの側板２８を隙間６３に挿入して、スコップＳの側板２８の内面を側板係止部６２で係止させる。また、側板係止部６２の端部と断熱箱体２の左内側面との間隔は、スコップＳの凹部２２の深さよりも小さく、スコップＳが左側にズリ落ちることは防止されている。
【００３６】
この様に構成されている実施の第１の形態の製氷機では、スコップ保持部Ｈ５が貯氷の妨げになることを極力防止することができる。また、スコップ保持部Ｈ５に保持されたスコップＳの凹部２２の開口面が貯氷部７側に向くため、保持されたスコップＳにより貯氷量が減少することも防止することができる。しかも、スコップＳが横向きに保持されるので、凹部２２に付着した水滴は下側に落下する。その結果、スコップＳの凹部２２が水切れして乾燥し、衛生的である。
【００３７】
また、この実施の第１の形態の変形例として、側板係止部６２と同様な底板係止部を取付部６１から前方に突出させて、この底板係止部で、上下反転したスコップＳの底板２７を係止することも可能である。そして、底板係止部と排水皿８の底面との間の隙間の高さは、スコップＳの底板の厚みよりも大きく、かつ、スコップＳの凹部２２の高さよりも小さく設定されている。
【００３８】
以上、本発明の実施の形態を詳述したが、本発明は、前記実施の形態に限定されるものではなく、特許請求の範囲に記載された本発明の要旨の範囲内で、種々の変更を行うことが可能である。本発明の変更例を下記に例示する。
（１）実施の形態では、製氷機は逆セルタイプの製氷機であるが、他の形式の製氷機でも可能である。
【００３９】
（２）実施の形態においては、製氷部６からの氷片は右側に片寄って貯氷部７に落下しているが、左側に片寄って落下することも可能である。その場合には、スコップ保持部などの配置は左右が逆になる。また、請求の範囲に明記されていない場合には、氷片を片寄らずに落下させることも可能である。
（３）スコップＳの形状は適宜変更可能である。たとえば、スコップＳの凹部２２の断面を曲面形状にすることも可能である。
【００４０】
【発明の効果】
本発明によれば、氷片をすくう凹部が貯氷部の空間に向かう姿勢で氷片取出用スコップを保持するスコップ保持部が、排水皿の底面に設けられているので、氷片取出用スコップの凹部にも貯氷することができる。その結果、氷片取出用スコップの保持による貯氷量の減少を極力防止することができる。
【００４１】
そして、側板係止部が、氷片取出用スコップの氷片をすくう凹部の側板を係止するので、氷片取出用スコップが横向きに保持され、氷片取出用スコップの凹部に付着した水滴は下側に落下する。その結果、氷片取出用スコップの凹部が水切れして乾燥し、衛生的である。
【図面の簡単な説明】
【図１】  図１は本発明における製氷機の参考例１の一部切欠き正面図である。
【図２】  図２は図１の製氷機の側面図である。
【図３】  図３は氷片取出用スコップの説明図で、（ａ）が側面図、（ｂ）が平面図である。
【図４】  図４は参考例２の製氷機のスコップ保持部の説明図で、（ａ）が平面図、（ｂ）が側面図である。
【図５】  図５は参考例３の製氷機のスコップ保持部の正面図である。
【図６】  図６は参考例４の製氷機のスコップ保持部の平面図である。
【図７】  図７は実施の第１の形態の製氷機のスコップ保持部の正面図である。
【符号の説明】
Ｈ１〜Ｈ５  スコップ保持部
Ｓ  氷片取出用スコップ
２  断熱箱体
６  製氷部
７  貯氷部
８  排水皿
２２  スコップの凹部
２７  スコップの底板
２８  スコップの側板
５１  下突出部（下側係止部）
５２  上突出部（上側係止部）
５６  突出部
６２  側板係止部
【図１】
0004245307.tif 000002
【図２】
0004245307.tif 000003
【図３】
0004245307.tif 000004
【図４】
0004245307.tif 000005
【図５】
0004245307.tif 000006
【図６】
0004245307.tif 000007
【図７】
0004245307.tif 000008